(57)【特許請求の範囲】
【請求項１】
直流電力を交流電力に変換して系統電源と連系した連系運転を行う系統連系装置における系統連系方法であって、
系統電圧からピーク電圧を検出し、検出したピーク電圧をバンドパスフィルタに入力し、得られたバンドパスフィルタの出力に基づいて一定周期の位相信号を生成し、該位相信号に同期して前記周期内の一定期間の力率を変化させた電流を出力することを特徴とする系統連系方法。
【請求項２】
直流電力を交流電力に変換して系統電源と連系した連系運転を行う系統連系装置であって、
系統電圧からピーク電圧を検出するピーク電圧検出手段と、
検出したピーク電圧が入力されるバンドパスフィルタと、
前記バンドパスフィルタの出力に基づいて、一定周期の位相信号を生成する位相信号生成手段とを備え、
前記位相信号に同期して前記周期内の一定期間の力率を変化させた電流を出力することを特徴とする系統連系装置。
【発明の詳細な説明】
【０００１】
【発明の属する技術分野】
本発明は、太陽光発電システムなどにおいて、系統電源と連系した連系運転を行う系統連系装置および系統連系方法に関し、さらに詳しくは、系統電源からの電力の供給が停止されたときの単独運転を能動的方式によって検出するのに好適な系統連系装置および系統連系方法に関する。
【０００２】
【従来の技術】
近年、太陽光電池と系統電源（商用電源）とを逆潮流有りで連系し、太陽電池だけでは電力が賄えない場合に、その電力を系統側から供給するようにした太陽光発電システムが開発されている。
【０００３】
かかるシステムにおいては、系統側が停電などによって電力の供給を停止した場合には、太陽光発電システムから系統側へ逆充電されるのを防止して系統側の復旧作業や保守点検を行えるようにする必要があるために、系統側からの電力の供給が停止された単独運転を検出して運転を停止するとともに、系統側と切り離すように構成している。
【０００４】
このような系統側からの電力供給の停止、すなわち単独運転を検知する方式として、太陽光発電システムの系統連系装置（パワーコンディショナ）の出力電力や出力周波数などに微小な変動を与え、単独運転時に、微小な変動が増大することを利用して単独運転を検出する能動的方式がある。
【０００５】
【発明が解決しようとする課題】
ところが、このような能動的方式による単独運転の検出では、例えば、大容量の発電電力を供給できるシステムを構築するために、複数のシステムを並列に接続して並列運転する場合には、単独運転を検出するための系統連系装置の出力の変動が干渉してお互いに打ち消すように働く場合があり、かかる場合には、単独運転検出に支障が出ることがある。
【０００６】
そこで、各システムの系統連系装置を信号線で接続して各系統連系装置を、同期信号に同期させて出力を変動させるようにすることが考えられるが、系統連系装置が離れていたり、個別の住宅に設置されているような場合には、信号線の接続が困難であり、また、コストが高くつくといった難点がある。
【０００７】
本発明は、上述の点に鑑みて為されたものであって、複数のシステムの並列運転を行う場合に、余分に信号線を必要とすることなく、能動的方式による単独運転の検出に支障がないようにすることを目的とする。
【０００８】
【課題を解決するための手段】
本発明では、上述の目的を達成するために、次のように構成している。
【０００９】
すなわち、本発明の系統連系方法は、直流電力を交流電力に変換して系統電源と連系した連系運転を行う系統連系装置における系統連系方法であって、系統電圧からピーク電圧を検出し、検出したピーク電圧をバンドパスフィルタに入力し、得られたバンドパスフィルタの出力に基づいて一定周期の位相信号を生成し、該位相信号に同期して前記周期内の一定期間の力率を変化させた電流を出力するものである。
【００１０】
また、本発明の系統連系装置は、直流電力を交流電力に変換して系統電源と連系した連系運転を行う系統連系装置であって、系統電圧からピーク電圧を検出するピーク電圧検出手段と、検出したピーク電圧が入力されるバンドパスフィルタと、前記バンドパスフィルタの出力に基づいて、一定周期の位相信号を生成する位相信号生成手段とを備え、前記位相信号に同期して前記周期内の一定期間の力率を変化させた電流を出力するものである。
【００１１】
本発明によれば、系統電源に多数の系統連系装置が接続されて並列運転を行う場合に、各系統連系装置は、系統電圧の変動を検出して生成された位相信号に同期して出力電流の力率を変化させるので、或る系統連系装置が電流力率を変化させたことに起因する系統電圧の変動を他の系統連系装置が検出してそれに基づいて生成された位相信号に同期して電流力率を変化させ、その電流力率の変化による系統電圧の変動を、さらに他の系統連系装置が、検出してそれに基づいて生成された位相信号に同期して電流力率を変化させるという繰り返しによって各系統連系装置の同期が順次揃っていくことになり、最終的に全ての系統連系装置の電力変動の位相が揃って互いに干渉することがなくなり、同期用の余分な信号線を用いることなく、単独運転を確実に検出できることになる。
【００１２】
【発明の実施の形態】
以下、図面によって本発明の実施の形態について、詳細に説明する。
【００１３】
図１は、本発明の一つの実施の形態に係る太陽光発電システムの構成図であり、この実施の形態の太陽光発電システム１は、直流電源としての太陽電池２と、本発明に係る系統連系装置（パワーコンディショナ）３とを備えている。
【００１４】
この系統連系装置３は、太陽電池２からの直流電力を系統電源４と同期のとれた交流電力に変換するインバータブリッジ５と、変換された交流電力の高調波成分を除去して電磁接触器６を介して負荷７に供給するリアクトル８およびコンデンサ９からなるフィルタ１０と、電圧検出器１１で検出された系統電圧Ｖａｃに正弦波信号ＳＩＮ（ωｔ）を同期させるためのＰＬＬ回路１２と、このＰＬＬ回路１２の出力に同期して動作するカウンタ１３と、このカウンタ１３の出力によって５０Ｈｚまたは６０Ｈｚの第１の正弦波信号ＳＩＮ（ωｔ）を発生する第１のメモリ（ＲＯＭ）１４と、同じくカウンタ１３の出力によって５０Ｈｚまたは６０Ｈｚの位相の異なる第２の正弦波信号ＳＩＮ（ωｔ＋φ）を発生する第２のメモリ（ＲＯＭ）１５と、電流力率を変化させるために両正弦波信号ＳＩＮ（ωｔ），ＳＩＮ（ωｔ＋φ）を後述のように切り替え出力する切り替え回路１６と、検出された系統電圧Ｖａｃから単独運転などの異常を検出して運転を停止させるとともに、電磁接触器６を解列するという保護動作を行う電圧リレー１７、周波数リレー１８および異常検出回路１９からなる保護回路２０と、電流指令信号Ｉｒｅｆの絶対値を規定する制御信号Ｉｖおよび電流指令信号Ｉｒｅｆの位相を規定する切り替え回路１６からの正弦波信号ＳＩＮ（ωｔ），ＳＩＮ（ωｔ＋φ）に基づいて、電流指令信号Ｉｒｅｆを生成する電流指令回路２１と、この電流指令信号Ｉｒｅｆと電流検出器２２で検出されたインバータブリッジ５の出力電流Ｉとの偏差がゼロになるように、増幅器２３、ＰＷＭ回路２４および駆動部２５を介してインバータブリッジ５を制御する電流制御器２６とを有している。
【００１５】
また、負荷７には、系統電源４から遮断機器２７と柱上トランス２８を介して交流電力が供給され、系統電源４に連系した連系運転が行われる。
【００１６】
以上の構成は、基本的に従来と同様である。
【００１７】
この実施の形態では、複数の太陽光発電システムが系統電源に連系されて並列運転された場合に、余分な信号線を必要とすることなく、能動的方式で単独運転を確実に検出できるようにするために、次のように構成している。
【００１８】
すなわち、この実施の形態では、１サイクルの周波数で、０．１秒だけ電流力率（電力）を変化させ、この変化信号を自動的に同期させるものであり、このため、系統電圧のピーク電圧を検出するピーク電圧検出回路２９と、このピーク電圧検出回路２９の出力が与えられる１Ｈｚのバンドパスフィルタ３０と、このバンドパスフィルタ３０の出力の出力に基づいて、１Ｈｚの位相信号を生成する位相信号生成手段３１とを備えており、この位相信号生成手段３１は、バンドパスフィルタ３０の出力を対数増幅する対数増幅器３２と、この対数増幅器からの１Ｈｚの信号が与えられるＰＬＬ回路３３とを有している。
【００１９】
この実施の形態では、系統電圧の微小な変動を検出するために、ピーク電圧検出回路２９で系統電圧のピークを検出し、検出したピーク電圧を１Ｈｚのバンドパスフィルタ３０を通し、図２（Ａ）に示されるようなこのバンドパスフィルタ３０の出力を、対数増幅器３２で対数増幅することにより、図２（Ｂ）に示されるような１Ｈｚの位相信号を生成してＰＬＬ回路３３で位相同期させるものである。
【００２０】
このＰＬＬ回路３３からの１Ｈｚの位相信号に同期して上述の両正弦波信号ＳＩＮ（ωｔ），ＳＩＮ（ωｔ＋φ）の切り替えを制御する切り替え制御回路３４を設けており、この切り替え制御回路３４では、系統電圧の微小変動を検出して生成された１Ｈｚの位相信号に同期して、１秒の周期内で０．１秒の期間の電流力率を変化させるために、０．９秒の期間は、第１の正弦波信号ＳＩＮ（ωｔ）を、残りの０．１秒の期間は、第２の正弦波信号ＳＩＮ（ωｔ＋φ）を、切り替え選択するように切り替え回路１６を制御するものである。
【００２１】
このようにして切り替え選択された第１，第２の正弦波信号ＳＩＮ（ωｔ），ＳＩＮ（ωｔ＋φ）が、電流指令値Ｉｒｅｆの位相を規定するために電流指令回路２１に与えられることになり、これによって、位相信号に同期して１サイクルの周波数で、０．１秒だけ力率を変化させた電流を出力するものである。
【００２２】
かかる構成を有する系統連系装置３を含む太陽光発電システム１の多数を、図３に示されるように、系統電源４に連系させた並列運転を行う場合には、最初に或る太陽光発電システム１の系統連系装置が、１Ｈｚの系統電圧の変動を検出してそれに同期した位相信号を上述のようにして生成してその位相信号に同期して電流力率を変化させ、これによって、系統電圧の変動が大きくなって検出が容易となり、最初に系統電圧の変動を検出できなかった別の太陽光発電システム１の系統連系装置も１Ｈｚの電圧変動を検出し、それに同期して電流力率を変化させ、以後、同様の動作を繰り返して最終的には、全ての太陽光発電システム１を同期させることが可能となる。
【００２３】
このように並列運転を行う多数の太陽光発電システムにおいて、電力変動を同期させることができ、従来例のように電力変動が互いに干渉するといったことがなく、能動的方式によって単独運転を確実に検出できるものである。
【００２４】
しかも、同期用の余分な信号線の配線施工が不要となり、コストを低減することができる。
【００２５】
上述の実施の形態では、１秒の周期で、力率を０．１秒の期間だけ変化させたけれども、本発明は、１秒の周期に限るものでなく、また、力率の変化の期間も０．１秒に限るものでないのは勿論である。
【００２６】
【発明の効果】
以上のように本発明によれば、系統電圧の変動を検出して生成された位相信号に同期して電流力率を変化させるので、並列運転を行う場合に、電力変動の位相が揃って互いに干渉することがなくなり、同期用の余分な信号線を用いることなく、単独運転を確実に検出できることになる。
【図面の簡単な説明】
【図１】本発明の一つの実施の形態に係る系統連系装置の構成図である。
【図２】図１のバンドパスフィルタおよび対数増幅器の出力を示す図である。
【図３】並列運転状態を示す図である。
【符号の説明】
１                    太陽光発電システム
２                    太陽電池
３                    系統連系装置
２９                  ピーク電圧検出回路
３０                  バンドパスフィルタ
３１                  位相信号生成手段
３２                  対数増幅器
【図１】
0003616944.tif 000002
【図２】
0003616944.tif 000003
【図３】
0003616944.tif 000004